【手続補正書】
【提出日】平成15年4月17日(2003.4.17)
【手続補正１】
【補正対象書類名】明細書
【補正対象項目名】特許請求の範囲
【補正方法】変更
【補正の内容】
【特許請求の範囲】
【請求項１】
電気泳動ディスプレイにおいて使用する適切に規定されたセルの製造方法であって、
ａ）導体フィルム上に熱可塑性または熱硬化性前駆体の層を被覆する工程、
ｂ）予めパターン形成した雄型を用いて熱可塑性または熱硬化性前駆体の層をエンボス加工する工程、
ｃ）熱可塑性または熱硬化性前駆体の層を硬化させる工程、
ｄ）熱可塑性または熱硬化性前駆体の層から型をリリースする工程、および
ｅ）そのように形成したマイクロカップのアレイを、誘電性溶媒または溶媒混合物中の帯電色素懸濁物で満たす工程
を含んで成る方法。
【請求項２】
該熱可塑性または熱硬化性前駆体は、多価アクリレートまたはメタクリレート、多価ビニル、多価エポキシド、多価アリル、ならびに架橋可能な官能基を含むオリゴマーおよびポリマーから成る群から選択される請求項１に記載の方法。
【請求項３】
該多価ビニルは、ビニルベンゼン、ビニルシランおよびビニルエーテルを含む、請求項２に記載の方法。
【請求項４】
熱可塑性または熱硬化性前駆体の層は、そのガラス転移温度付近またはそれ以上の温度でエンボス加工される請求項１に記載の方法。
【請求項５】
ガラス転移温度は、約−７０℃〜約１５０℃の範囲にある請求項４に記載の方法。
【請求項６】
ガラス転移温度は、約−２０℃〜約１００℃の範囲にある請求項５に記載の方法。
【請求項７】
熱可塑性または熱硬化性前駆体の層の硬化は、放射線、熱、湿気による架橋、冷却または溶媒もしくは可塑剤の蒸発によって行なう請求項１に記載の方法。
【請求項８】
熱可塑性または熱硬化性前駆体の層の硬化は、ＵＶ、可視光、近赤外線または電子線照射によって行なう請求項１に記載の方法。
【請求項９】
予めパターン形成した雄型は、熱可塑性もしくは熱硬化性前駆体の層を硬化させる前、間または後に、リリースする請求項１に記載の方法。
【請求項１０】
電気泳動ディスプレイにおいて使用する適切に規定されたセルの製造方法であって、
ａ）導体フィルム上に放射線硬化性組成物の層を被覆する工程、
ｂ）放射線硬化性層を画像露光する工程、
ｃ）現像液または溶媒によって非露光領域を除去して、マイクロカップのアレイを顕在化させる工程、および
ｄ）マイクロカップを、誘電性溶媒または溶媒混合物中の帯電色素懸濁物で満たす工程
を含んで成る方法。
【請求項１１】
該放射線硬化性組成物は、多価アクリレートまたはメタクリレート、多価ビニル、多価エポキシド、多価アリル、ならびに架橋可能な官能基を含むオリゴマーおよびポリマーから成る群から選択される材料を含んで成る請求項１０に記載の方法。
【請求項１２】
該多価ビニルは、ビニルベンゼン、ビニルシランおよびビニルエーテルを含む、請求項１１に記載の方法。
【請求項１３】
画像露光は、ＵＶ、可視光、近赤外線または電子線照射によって行なう請求項１０に記載の方法。
【請求項１４】
電気泳動ディスプレイにおいて使用する適切に規定されたセルのアレイを製造する方法であって、
ａ）誘電性溶媒または溶媒混合物中の分散物の混合物を含む誘電性流体によりマイクロカップを充填する工程であって、該分散物の混合物は、帯電色素粒子の懸濁物と誘電性溶媒もしくは溶媒混合物より小さい比重を有する熱可塑性または熱硬化性前駆体組成物の分散物とを少なくとも含んで成る工程、ならびに
ｂ）熱可塑性または熱硬化性前駆体組成物が相分離して誘電性溶媒または溶媒混合物の上に上澄層を形成する間またはその後で、該組成物を硬化させることによって、マイクロカップを封止する工程
を含んで成る方法。
【請求項１５】
熱可塑性または熱硬化性前駆体組成物は、多価アクリレートまたはメタクリレート、シアノアクリレート、多価ビニル、多価エポキシド、多価イソシアネート、多価アリル、ならびに架橋可能な官能基を含むオリゴマーおよびポリマーから成る群から選択される材料を含んで成る請求項１４に記載の方法。
【請求項１６】
該多価ビニルは、ビニルベンゼン、ビニルシランおよびビニルエーテルを含む、請求項１５に記載の方法。
【請求項１７】
電気泳動ディスプレイにおいて使用する適切に規定されたセルを製造する方法であって、
ａ）誘電性溶媒または溶媒混合物中の帯電色素粒子の懸濁物を少なくとも含む誘電性流体によりマイクロカップを充填する工程、
ｂ）誘電性溶媒または溶媒混合物と少なくとも部分的に非混和性であり、また、該誘電性溶媒または溶媒混合物より小さい比重を有する熱可塑性または熱硬化性前駆体組成物を該誘電性流体の上にオーバーコートすることによって、充填したマイクロカップを封止する工程、ならびに
ｃ）該熱可塑性または熱硬化性前駆体組成物を硬化させる工程
を含んで成る方法。
【請求項１８】
熱可塑性または熱硬化性前駆体組成物は、該組成物を誘電性流体に被覆した後で蒸発させる揮発性溶媒または溶媒混合物によって希釈されている請求項１７に記載の方法。
【請求項１９】
オーバーコートした熱可塑性または熱硬化性前駆体組成物を、放射線、熱、湿気、またはオーバーコートと電気泳動流体との間の界面における界面反応によって硬化させる請求項１７に記載の方法。
【請求項２０】
熱可塑性または熱硬化性前駆体組成物は、多価アクリレートまたはメタクリレート、シアノアクリレート、多価ビニル、多価エポキシド、多価イソシアネート、多価アリル、ならびに架橋可能な官能基を含むオリゴマーおよびポリマーから成る群から選択される材料を含んで成る請求項１７に記載の方法。
【請求項２１】
該多価ビニルは、ビニルベンゼン、ビニルシランおよびビニルエーテルを含む、請求項２０に記載の方法。
【請求項２２】
電気泳動ディスプレイの製造方法であって、
ａ）導体フィルム上に熱可塑性または熱硬化性前駆体層を初めにコーティングし、その後、雄型によって熱可塑性または熱硬化性前駆体層をエンボス加工するか、あるいは放射線硬化性材料層を画像露光して非露光領域を除去することによって、マイクロカップを形成する工程、
ｂ）そのように形成したマイクロカップのアレイを、誘電性溶媒または溶媒混合物中の帯電色素懸濁物を少なくとも含む誘電性流体によって充填する工程、
ｃ）マイクロカップを封止する工程、ならびに
ｄ）接着剤層を予めコーティングした第２導体フィルムによって、電気泳動セルの封止したアレイをラミネートする工程
を含んで成る方法。
【請求項２３】
接着剤層は、熱、湿気または放射線によって架橋可能であり、ラミネートする間またはその後に硬化させる請求項２２に記載の方法。
【請求項２４】
マルチカラーの電気泳動ディスプレイを製造する方法であって、
ａ）導体フィルム上に熱可塑性または熱硬化性前駆体層を初めにコーティングし、その後、雄型によって熱可塑性または熱硬化性前駆体層をエンボス加工するか、あるいは放射線硬化性材料層を画像露光して非露光領域を除去することによって、マイクロカップを形成する工程、
ｂ）そのように形成したマイクロカップのアレイをポジ型フォトレジストの層によってラミネートする工程、
ｃ）ポジ型フォトレジストを画像露光して所定領域においてマイクロカップを選択的に開口する工程、
ｄ）第１カラーの染料または色素分散物を含む誘電性溶媒または溶媒混合物中における白色色素分散物を少なくとも含んで成る誘電性流体を開口したマイクロカップに充填する工程、
ｅ）マイクロカップを封止して、第１カラーの該誘電性溶媒または溶媒混合物中における該白色色素分散物を含む、閉じた電気泳動セルを形成する工程、
ｆ）必要な場合に、異なる領域において工程ｃ）〜ｅ）を繰り返し、異なるカラーの誘電性流体を含むマイクロカップのグループを形成する工程、
ｇ）存在する場合には、残っているポジ型フォトレジストを除去する工程、ならびに
ｈ）接着剤層を予めコーティングした第２透明導体フィルムによって、電気泳動セルの封止したアレイをラミネートする工程
を含んで成る方法。
【請求項２５】
マイクロカップの封止は、誘電性溶媒または溶媒混合物中における分散物の混合物を含む誘電性流体によってマイクロカップを充填し、分散物の混合物は、帯電色素粒子の懸濁物と、誘電性溶媒または溶媒混合物より小さい比重を有する熱可塑性または熱硬化性前駆体組成物の分散物とを少なくとも含んで成り、その後、熱可塑性または熱硬化性前駆体組成物が相分離して誘電性溶媒もしくは溶媒混合物上に上澄層を形成する間、またはその後に熱可塑性または熱硬化性前駆体組成物を硬化させることによって行なう請求項２２に記載の方法。
【請求項２６】
マイクロカップの封止は、誘電性溶媒または溶媒混合物中における分散物の混合物を含む誘電性流体によってマイクロカップを充填し、分散物の混合物は、帯電色素粒子の懸濁物と、誘電性溶媒または溶媒混合物より小さい比重を有する熱可塑性または熱硬化性前駆体組成物の分散物とを少なくとも含んで成り、その後、熱可塑性または熱硬化性前駆体組成物が相分離して誘電性溶媒もしくは溶媒混合物上に上澄層を形成する間、またはその後に熱可塑性または熱硬化性前駆体組成物を硬化させることによって行なう請求項２４に記載の方法。
【請求項２７】
充填したマイクロカップの封止は、該誘電性溶媒または溶媒混合物と少なくとも部分的に非混和性であり、また、該誘電性溶媒または溶媒混合物より小さい比重を有する熱可塑性または熱硬化性前駆体組成物を、該誘電性流体上にオーバーコートし、その後、該熱可塑性または熱硬化性前駆体組成物を硬化させることによって行なう請求項２２に記載の方法。
【請求項２８】
充填したマイクロカップの封止は、該誘電性溶媒または溶媒混合物と少なくとも部分的に非混和性であり、また、該誘電性溶媒または溶媒混合物より小さい比重を有する熱可塑性または熱硬化性前駆体組成物を、該誘電性流体上にオーバーコートし、その後、該熱可塑性または熱硬化性前駆体組成物を硬化させることによって行なう請求項２４に記載の方法。
【請求項２９】
接着剤層は、ポジ型フォトレジスト上に予めコーティングされ、マイクロカップのアレイにラミネートされる請求項２２に記載の方法。
【請求項３０】
接着剤層は、ポジ型フォトレジスト上に予めコーティングされ、マイクロカップのアレイにラミネートされる請求項２４に記載の方法。
【請求項３１】
該接着剤は、ポジ型フォトレジストの現像剤によって現像可能である請求項２９に記載の方法。
【請求項３２】
該接着剤は、ポジ型フォトレジストの現像剤によって現像可能である請求項３０に記載の方法。
【請求項３３】
誘電性溶媒または溶媒混合物は、約２〜約３０の範囲の低い誘電率を有する請求項１７に記載の方法。
【請求項３４】
誘電性溶媒または溶媒混合物は、染料または第２のカラーの色素分散物によって着色された該誘電性溶媒または溶媒混合物中で分散した白色色素粒子の分散物を少なくとも含んで成る請求項１７に記載の方法。
【請求項３５】
染料またはカラー色素分散物は、ノニオンであるか、あるいは白色色素分散物と異なる電荷極性を有する請求項３４に記載の方法。
【請求項３６】
懸濁物は、着色され、または黒色にされた溶媒中で分散した帯電ＴｉＯ２粒子を含んで成る請求項１７に記載の方法。
【請求項３７】
懸濁物の色は、減法混色または加法混色の原色である請求項１７に記載の方法。
【請求項３８】
該導体フィルムはパターン形成されている請求項１に記載の方法。
【請求項３９】
導体フィルムの１つは透明である請求項２２に記載の方法。
【請求項４０】
導体フィルムの１つは透明である請求項２４に記載の方法。
【請求項４１】
誘電性溶媒または溶媒混合物は、約２〜約１０の範囲の低い誘電率を有する請求項１７に記載の方法。
【請求項４２】
誘電性溶媒または溶媒混合物は、約２〜約３０の範囲の低い誘電率を有する請求項１４に記載の方法。
【請求項４３】
誘電性溶媒または溶媒混合物は、染料または第２のカラーの色素分散物によって着色された該誘電性溶媒または溶媒混合物中で分散した白色色素粒子の分散物を少なくとも含んで成る請求項１４に記載の方法。
【請求項４４】
染料またはカラー色素分散物は、ノニオンであるか、あるいは白色色素分散物と異なる電荷極性を有する請求項４３に記載の方法。
【請求項４５】
懸濁物は、着色され、または黒色にされた溶媒中で分散した帯電ＴｉＯ２粒子を含んで成る請求項１４に記載の方法。
【請求項４６】
懸濁物の色は、減法混色または加法混色の原色である請求項１４に記載の方法。
【請求項４７】
ウェブ基材と同じスピードで移動するフォトマスクを介して画像露光することを含んで成る電気泳動ディスプレイの製造方法。
【請求項４８】
該ウェブ基材はプラスチック基材上の導体層を含み、該導体層は放射線感応性材料で被覆されている請求項４７に記載の方法。
【請求項４９】
該導体層はＩＴＯである請求項４７に記載の方法。
【請求項５０】
（ａ）１つの上部電極プレートおよび１つの下部電極プレートであって、少なくとも一方が透明である電極プレートと、
（ｂ）２つの電極プレートの間に閉じ込められた複数のセルと
を含んで成り、該セルの各々は
（i）セルを仕切るための壁と、
（ii）誘電性溶媒または溶媒混合物中で帯電色素粒子が分散した分散物と、
（iii）該分散物よりも小さい比重を有するシーリング組成物から形成され、該分散物を各セル内に閉じ込めるように該壁の表面に封止するようにして付着するポリマー性シーリング層と
を含んで成る電気泳動ディスプレイ。
【請求項５１】
セルは寸法および形状が実質的に均一である請求項５０に記載の電気泳動ディスプレイ。
【請求項５２】
セルは、異なる寸法および形状を有する請求項５０に記載の電気泳動ディスプレイ。
【請求項５３】
セルは非球形状である請求項５０に記載の電気泳動ディスプレイ。
【請求項５４】
セルは、円形、多角形、六角形、長方形または正方形の形状を有する開口部を有するマイクロカップから形成されている請求項５０に記載の電気泳動ディスプレイ。
【請求項５５】
セルは、約１０２〜約５×１０５μｍ２の範囲の開口面積を有する請求項５０に記載の電気泳動ディスプレイ。
【請求項５６】
セルは、約１０３〜約５×１０４μｍ２の範囲の開口面積を有する請求項５５に記載の電気泳動ディスプレイ。
【請求項５７】
セルは、約３〜約１００ミクロンの範囲の深さを有する請求項５０に記載の電気泳動ディスプレイ。
【請求項５８】
セルは、約１０〜約５０ミクロンの範囲の深さを有する請求項５７に記載の電気泳動ディスプレイ。
【請求項５９】
セルは、約０．０５〜約１００の範囲の開口対壁割合を有するマイクロカップから形成されている請求項５０に記載の電気泳動ディスプレイ。
【請求項６０】
セルは、約０．４〜約２０の範囲の開口対壁割合を有するマイクロカップから形成されている請求項５９に記載の電気泳動ディスプレイ。
【請求項６１】
該分散物は着色された誘電性溶媒または溶媒混合物中で分散した帯電白色粒子を含む請求項５０に記載の電気泳動ディスプレイ。
【請求項６２】
該誘電性溶媒または溶媒混合物は染料または色素により着色されている請求項６１に記載の電気泳動ディスプレイ。
【請求項６３】
該染料またはカラー色素は、帯電していないか、あるいは白色色素粒子と異なる電荷極性を有する請求項６２に記載の電気泳動ディスプレイ。
【請求項６４】
該シーリング組成物はＵＶ硬化性組成物である請求項５０に記載の電気泳動ディスプレイ。
【請求項６５】
該シーリング組成物は熱可塑性組成物、熱硬化性組成物またはそれらの前駆体を含んで成る請求項５０に記載の電気泳動ディスプレイ。
【請求項６６】
該シーリング組成物は、多価アクリレートまたはメタクリレート、シアノアクリレート、多価ビニル、多価エポキシド、多価イソシアネート、多価アリル、ならびに架橋可能な官能基を含むオリゴマーおよびポリマーから成る群から選択される材料を含んで成る請求項５０に記載の電気泳動ディスプレイ。
【請求項６７】
該シーリング組成物は、該分散物と非適合性または非混和性である有機溶媒中で溶解または分散している請求項５０に記載の電気泳動ディスプレイ。
【請求項６８】
該分散物は該セルの各々に部分的に充填されている請求項５０に記載の電気泳動ディスプレイ。
【請求項６９】
該部分的に充填されている分散物は該ポリマー性シーリング層と接触している請求項６８に記載の電気泳動ディスプレイ。
【請求項７０】
（ａ）１つの上部電極プレートおよび１つの下部電極プレートであって、少なくとも一方が透明である電極プレートと、
（ｂ）２つの電極プレートの間に閉じ込められた複数のセルと
を含んで成り、該セルの各々は
（i）セルを仕切るための壁と、
（ii）誘電性溶媒または溶媒混合物中で帯電色素粒子が分散した分散物と、
（iii）該分散物を各セル内に閉じ込めるように該壁の表面に封止するようにして付着するポリマー性シーリング層と
を含んで成る電気泳動ディスプレイ。
【請求項７１】
該分散物は該セルの各々に部分的に充填されている請求項７０に記載の電気泳動ディスプレイ。
【請求項７２】
該部分的に充填されている分散物は該ポリマー性シーリング層と接触している請求項７１に記載の電気泳動ディスプレイ。
【請求項７３】
セルは寸法および形状が実質的に均一である請求項７０または７１に記載の電気泳動ディスプレイ。
【請求項７４】
セルは、異なる寸法および形状を有する請求項７０または７１に記載の電気泳動ディスプレイ。
【請求項７５】
セルは非球形状である請求項７０または７１に記載の電気泳動ディスプレイ。
【請求項７６】
セルは、円形、多角形、六角形、長方形または正方形の形状を有する開口部を有するマイクロカップから形成されている請求項７０または７１に記載の電気泳動ディスプレイ。
【請求項７７】
セルは、約１０２〜約５×１０５μｍ２の範囲の開口面積を有する請求項７０または７１に記載の電気泳動ディスプレイ。
【請求項７８】
セルは、約１０３〜約５×１０４μｍ２の範囲の開口面積を有する請求項７７に記載の電気泳動ディスプレイ。
【請求項７９】
セルは、約３〜約１００ミクロンの範囲の深さを有する請求項７０または７１に記載の電気泳動ディスプレイ。
【請求項８０】
セルは、約１０〜約５０ミクロンの範囲の深さを有する請求項７９に記載の電気泳動ディスプレイ。
【請求項８１】
セルは、約０．０５〜約１００の範囲の開口対壁割合を有するマイクロカップから形成されている請求項７０または７１に記載の電気泳動ディスプレイ。
【請求項８２】
セルは、約０．４〜約２０の範囲の開口対壁割合を有するマイクロカップから形成されている請求項８１に記載の電気泳動ディスプレイ。
【請求項８３】
該分散物は着色された誘電性溶媒または溶媒混合物中で分散した帯電白色粒子を含む請求項７０または７１に記載の電気泳動ディスプレイ。
【請求項８４】
該誘電性溶媒または溶媒混合物は染料または色素により着色されている請求項８３に記載の電気泳動ディスプレイ。
【請求項８５】
該染料またはカラー色素は、帯電していないか、あるいは白色色素粒子と異なる電荷極性を有する請求項８４に記載の電気泳動ディスプレイ。
【請求項８６】
該ポリマー性シーリング層は、ＵＶ硬化性組成物を含む組成物から形成される請求項７０または７１に記載の電気泳動ディスプレイ。
【請求項８７】
該ポリマー性シーリング層は、熱可塑性組成物、熱硬化性組成物またはそれらの前駆体を含んで成る組成物から形成される請求項７０または７１に記載の電気泳動ディスプレイ。
【請求項８８】
該ポリマー性シーリング層は、多価アクリレートまたはメタクリレート、シアノアクリレート、多価ビニル、多価エポキシド、多価イソシアネート、多価アリル、ならびに架橋可能な官能基を含むオリゴマーおよびポリマーから成る群から選択される材料を含む組成物から形成される請求項７０または７１に記載の電気泳動ディスプレイ。
【請求項８９】
該ポリマー性シーリング層は、該分散物と非適合性または非混和性である有機溶媒中で溶解または分散している組成物から成る請求項７０または７１に記載の電気泳動ディスプレイ。